(57)【特許請求の範囲】
【請求項１】
遊技機本体に取り付けられ、遊技に関わる制御を行う主制御装置と、前記主制御装置を覆うように前記遊技機本体に取り付けられた防犯カバーと、電気的な駆動に基づき、前記防犯カバーを着脱不能に前記遊技機本体に固定するロック状態、及び前記防犯カバーの固定を解除したロック解除状態に切替可能なロック手段と、前記ロック手段を作動させるための第１認証コードを、外部から入力するための外部入力手段と、前記第１認証コードが前記外部入力手段に入力された際に、前記主制御装置と通信を行って前記主制御装置に記憶されている正規の第２認証コードを読み出し、前記第１認証コードと前記第２認証コードとを照合して、前記第１認証コードが正規のものであると判断したときに、前記ロック手段を前記ロック状態または前記ロック解除状態のいずれか一方の状態から他方の状態に切り替えるロック制御手段とを備えた遊技機において、
前記ロック手段は、
前記防犯カバーの側方に設けられ、前記遊技機本体の上下方向に平行な回動軸と、
前記回動軸に取り付けられ、前記防犯カバーを前記遊技機本体に抑え付けるカバー抑え位置、及び前記防犯カバーの抑え付けを解除して前記防犯カバーの着脱を可能にするカバー抑え解除位置に回動自在なストッパと、
前記ストッパの前記防犯カバー側とは反対側の側方に設けられ、電気的な駆動に基づき、前記防犯カバー側に突出して前記カバー抑え位置にある前記ストッパを押圧し、このストッパを介して前記防犯カバーを前記遊技機本体に抑え付けるロック位置、及び前記ロック位置から前記反対側の側方に退避して前記ストッパの押圧を解除し、前記ストッパの前記カバー抑え解除位置への回動を可能とするロック解除位置に移動自在であるとともに、前記ロック解除位置から前記ロック位置に移動する時に、前記カバー解除位置にある前記ストッパを押圧して前記カバー抑え位置に回動させるロック板とからなり、
前記ロック制御手段は、前記第１認証コードが正規のものであると判断したときに、前記ロック板を前記ロック位置または前記ロック解除位置のいずれか一方の位置から他方の位置に移動させることを特徴する遊技機。
【請求項２】
前記第１認証コードは、カード状の記憶媒体に記憶されており、
前記外部入力手段は、前記記憶媒体に記憶されている前記第１認証コードを読み取る認証コード読み取り装置であることを特徴とする請求項１記載の遊技機。
【請求項３】
前記外部入力手段には、複数の遊技機に対して前記第１認証コードを少なくとも送信することができる管理制御装置より前記第１認証コードが入力されることを特徴とする請求項１記載の遊技機。
【発明の詳細な説明】
【０００１】
【発明の属する技術分野】
本発明は、パチンコ店等の遊技場に設置して使用されるパチンコ機等の遊技機に関し、更に詳しくは、遊技に用いられる駆動装置を制御プログラムに従って制御する制御装置を備えた遊技機に関するものである。
【０００２】
【従来の技術】
遊技場に設置されるパチンコ機やスロットマシン等の遊技機は、遊技盤や本体枠に、遊技媒体の供給に基づいて作動させるランプ装置や音声発生装置などの様々な各種駆動装置及びこれら駆動装置を制御させるために対応させた各種制御装置（手段) を備えており、遊技者が遊技を行う際にこれらを適宜作動させることによって遊技を興趣に溢れたものとしている。また、近年では、リール表示装置または液晶画像表示装置等の図柄表示装置を備えて遊技に用いているものも多い。これらの装置は遊技機の内部に配設された制御装置によって制御されている。
【０００３】
最近の遊技機の内部に配設されている制御装置は、基板上に設けられたＣＰＵ（ｃｅｎｔｒａｌ  ｐｒｏｃｅｓｓｉｎｇ  ｕｎｉｔ）が制御プログラムに従って電子制御を行うものが一般的である。制御プログラムは、マスクＲＯＭ（ｒｅａｄ  ｏｎｌｙ  ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
また、遊技場に設置される遊技機は、制御プログラムが不正に改変されないよう管理されており、制御プログラムのデータが記憶されたＩＣチップは、装着されている基板上から容易に外すことができないよう、前記基板に防犯カバーを取り付けて封印シールが貼付されるなどして、制御プログラムが不正に改変されないように配慮がなされている。
【０００５】
【発明が解決しようとする課題】
しかしながら、上記のような遊技機であっては、機種交換などで制御プログラムを変更したい場合に、防犯カバーを専用工具を用いて再利用不可能に破壊しなければならず手間が掛かってしまっていた。また、制御プログラムを記憶したＩＣチップを交換することにより、有利な遊技を実行することができるため、不正に交換しようとする遊技者が少なくなく、封印シール等の貼付によるセキュリティーでは信頼性に欠けるものであった。
【０００６】
本発明は、上記従来技術の問題を解決するためになされたものであり、制御プログラムの不当な改変を確実に防止できると共に、制御プログラムを簡便に変更することを可能とする遊技機を提供することを目的とする。
【０００７】
【課題を解決するための手段】
上記目的を達成するために、本発明の遊技機は、遊技機本体に取り付けられ、遊技に関わる制御を行う主制御装置と、前記主制御装置を覆うように前記遊技機本体に取り付けられた防犯カバーと、電気的な駆動に基づき、前記防犯カバーを着脱不能に前記遊技機本体に固定するロック状態、及び前記防犯カバーの固定を解除したロック解除状態に切替可能なロック手段と、前記ロック手段を作動させるための第１認証コードを、外部から入力するための外部入力手段と、前記第１認証コードが前記外部入力手段に入力された際に、前記主制御装置と通信を行って前記主制御装置に記憶されている正規の第２認証コードを読み出し、前記第１認証コードと前記第２認証コードとを照合して、前記第１認証コードが正規のものであると判断したときに、前記ロック手段を前記ロック状態または前記ロック解除状態のいずれか一方の状態から他方の状態に切り替えるロック制御手段とを備えた遊技機において、前記ロック手段は、前記防犯カバーの側方に設けられ、前記遊技機本体の上下方向に平行な回動軸と、前記回動軸に取り付けられ、前記防犯カバーを前記遊技機本体に抑え付けるカバー抑え位置、及び前記防犯カバーの抑え付けを解除して前記防犯カバーの着脱を可能にするカバー抑え解除位置に回動自在なストッパと、前記ストッパの前記防犯カバー側とは反対側の側方に設けられ、電気的な駆動に基づき、前記防犯カバー側に突出して前記カバー抑え位置にある前記ストッパを押圧し、このストッパを介して前記防犯カバーを前記遊技機本体に抑え付けるロック位置、及び前記ロック位置から前記反対側の側方に退避して前記ストッパの押圧を解除し、前記ストッパの前記カバー抑え解除位置への回動を可能とするロック解除位置に移動自在であるとともに、前記ロック解除位置から前記ロック位置に移動する時に、前記カバー解除位置にある前記ストッパを押圧して前記カバー抑え位置に回動させるロック板とからなり、前記ロック制御手段は、前記第１認証コードが正規のものであると判断したときに、前記ロック板を前記ロック位置または前記ロック解除位置のいずれか一方の位置から他方の位置に移動させることを特徴する。
【０００９】
また、前記第１認証コードは、カード状の記憶媒体に記憶されており、前記外部入力手段は、前記記憶媒体に記憶されている前記第１認証コードを読み取る認証コード読み取り装置であることが好適である。
【００１０】
また、前記外部入力手段には、複数の遊技機に対して前記第１認証コードを少なくとも送信することができる管理制御装置より前記第１認証コードが入力されることが好適である。
【００１５】
【発明の実施の形態】
図１に本発明を用いた遊技機の１実施例であるパチンコ機の外観を示す。パチンコ機２の本体枠３の内部には遊技盤４が配設されており、遊技盤４の前面には前面枠５が開閉自在に設けられている。前面枠５の下方には、打球供給用の供給皿６及び遊技球の打ち出し強さを調節する操作ハンドル７が設けられている。遊技盤４の遊技領域４ａの略中央には所定入賞条件に基づいて遊技中に様々な図柄やキャラクタなどを液晶画面に所定時間内において変動表示する図柄表示装置８が設けられ、その周りには様々な種類の入賞口１０及びアウト口１１が設けられている。それぞれの入賞口１０の内には、入賞口１０に入った遊技球を検知する入賞球検知センサ１２が設けられている。遊技者は、供給皿６に遊技球を投入し、操作ハンドル７を操作して、遊技盤４上に遊技球を打ち出す。打ち出された遊技球は遊技領域４ａを流下する途中でいずれかの入賞口１０に入るか、あるいはアウト口１１から回収される。なお、パチンコ機２の遊技領域４ａに設けられている複数の釘、風車などの構造物は公知であるので説明は省略する。
【００１６】
なお、前面枠５が閉じている状態であるときには、遊技者や遊技場の作業者は、前面枠５に板状のガラスが装着されて形成されるガラス窓９を通して遊技盤４の遊技領域４ａ及び遊技領域４ａ上を流下していく遊技球を見ることはできるが、遊技盤４にはもちろんのこと本体枠３の内部にも触れることができないようになっている。
【００１７】
図２にパチンコ機の背面側の外観を示す。パチンコ機の本体枠の内部には、遊技を行う際に作動させる各種制御手段である記憶媒体や、該記憶媒体に記憶されている制御プログラムに基づいて制御する構成からなる主制御装置１５、副制御装置１６、球発射装置１７、球払出装置１８、及び各種制御手段の少なくともいずれか１つを収容して、本体３の背面側に露出するように装着させる各種部材である防犯カバー２０、認証コード読み取り装置１９が配設されている。また、本体枠３の内部にはスピーカーなどの音声発生装置２１（図３に図示）や、本体枠３及び遊技盤４上の様々な位置にランプ２２（図３に図示）が設けられており、音声発生装置２１から演出効果を持たせた音声を発生させたり、ランプ２２の点灯制御によって演出効果を出すといったことを行う。
【００１８】
図３に示すように、パチンコ機２の作動は基本的に主制御装置１５及び副制御装置１６によって管制される。
【００１９】
主制御装置１５は、メインＣＰＵ１５ａ及びメインＲＯＭ１５ｂ (記憶媒体) 及びメインＲＡＭ１５ｃから構成されている。メインＣＰＵ１５ａは、メインＲＯＭ１５ｂに記憶されている遊技制御プログラムに基づいてパチンコ機の遊技状態を制御する命令を生成すると共に、副制御装置１６に命令情報を送信して実行させる、そして、球発射装置１７及び球払出装置１８及び入力インターフェイス２３に基づく入力信号に応じて主制御装置１５は所定の遊技状態となるように制御される。メインＲＯＭ１５ｂには、遊技制御プログラムおよび乱数生成処理プログラムおよび乱数テーブルなどが所定の領域に格納されており、これらはメインＣＰＵ１５ａによって読み出され、演算処理されるように適宜用いられる。メインＲＡＭ１５ｃは、ワーキングエリアとなっており、遊技において利用されるデータなどの一時的保管や書き換えなどに用いられる。
【００２０】
副制御装置１６は、サブＣＰＵ１６ａ及びサブＲＯＭ１６ｂ及びサブＲＡＭ１６ｃから構成されている。サブＣＰＵ１６ａは、サブＲＯＭ１６ｂに格納された副制御装置用制御プログラムを適宜読み出し、主制御装置１５から命令情報として入力される制御信号に応じて、副制御用制御プログラムに従って副制御装置１６と、図柄表示装置８及び音声発生装置２１及びランプ２２との間で制御信号の入出力を行い所定の遊技状態とさせるための駆動制御をする。サブＲＡＭ１６ｃはワーキングエリアとなっており、図柄表示装置８及び音声発生装置２１及びランプ２２の制御において利用されるデータなどの一時的保管や書き換えなどに用いられる。なお、駆動制御をさせる装置は上記したものに限られず遊技領域４ａに設けた可動式の入賞装置なども含まれることとする。
【００２１】
入力インターフェイス２３は、操作ハンドル７からの、操作ハンドル７の回動量を示す信号を球発射装置１７へと入力すると共に、遊技盤４に設けられた入賞球検知センサ１２からの信号をメインＣＰＵ１５ａへと入力する。入力インターフェイス２３を介して操作ハンドル７からの信号が入力されると、球発射装置１７は駆動を開始して、操作ハンドル７の回動量に応じた打ち出し強さで遊技球を遊技盤４に打ち出す。ＣＰＵ１５ａは、入力インターフェイス２３を介して入賞球検知センサ１２からの信号が入力されると、球払出装置１８を駆動して所定個数の賞球を供給皿６上に払い出す。なお、賞球の個数は、遊技球が入った入賞口１０の種類に応じて適宜設定して良い。また、ＣＰＵ１５ａは、遊技状態を監視しており、エラーが生じた場合に球発射装置１７の作動を停止させる。
【００２２】
認証コード読み取り装置１９及び防犯カバー２０の平面図を図４に、正面図を図５に、外観斜視図を図６に示す。なお、本体３の背面方向を、認証コード読み取り装置１９及び防犯カバー２０の正面方向とする。
【００２３】
認証コード読み取り装置１９の正面には認証カード２５を通過させるスリット１９ａが設けられている。認証カード２５はカード状の磁気式記憶媒体であって、特定データとなる暗号情報として定められた認証コードが記憶されている。スリット１９ａ内には認証コード読み取り部２６が設けられており、スリット１９ａを通過した認証カードに記憶されている認証コードが電子的に読み取られるようになっている。認証カードとしては、例えば、磁気カードを用いることが考えられ、この場合、認証コード読み取り部としては磁気ヘッドを用いることが考えられる。なお、認証カードは磁気式記憶媒体に限られず、ＩＣカードや、光学式記憶媒体など、適宜用いて良い。
【００２４】
認証コード読み取り装置１９の右側面には第１軸受部１９ｂ及び第２軸受部１９ｃが同軸上に設けられており、軸２７が第１軸受部１９ｂ及び第２軸受部１９ｃによって着脱不能に保持されている。第１軸受部１９ｂと第２軸受部１９ｃの間にはストッパ２８が軸２７を回動軸として回動自在となるよう取り付けられている。
【００２５】
防犯カバー２０は主制御装置１５の周囲を覆うように本体３に取り付けられることにより、主制御装置１５に対して何人も接触できないよう防護している。防犯カバー２０の一端には防犯カバー軸受部２９が突設されており、本体３の本体軸受部３０と防犯カバー軸受部２９とで蝶番３１を形成しており、蝶番３１によって防犯カバー２０は本体３から分離不能になっている。防犯カバー２０は蝶番３１で回動することにより開閉し、開放時に主制御装置１５は新たな主制御装置と交換することのできる着脱可能な状態となり、閉鎖時に主制御装置１５は接触することのできない着脱不能な状態となる。また、防犯カバー２０には係止片２０ａが突設されており、ストッパ２８によって係止片２０ａが拘束されることによって、防犯カバー２０は蝶番３１での回動が抑止され、開放することができなくなる。即ち、ストッパ２８が係止片２０ａを拘束するか否かによって、主制御装置１５は着脱可能な状態か否かが決定される。ストッパ２８が係止片２０ａを拘束するか否かは、ストッパ２８の回動位置によって決定される。なお、防犯カバーの一端を本体に取り付ける方法は、上記のように防犯カバーの一端と本体の一部とで分離不能に蝶番を形成する方法に限らず、防犯カバーが開閉自在、且つ分離不能に本体に取り付く方法、または左右両側にストッパ２８を設けて着脱自在に主制御装置１５を収容した防犯カバーを固定及び固定解除できる方法であれば適宜の方法を用いて良い。また、防犯カバーに主制御装置１５を取り付けて収容する構成としても良い。
【００２６】
図７に示すように、認証コード読み取り装置１９の内部には、ロック板３５、モータ３６、ウォームギア３７、ホイールギア３８、ロック板位置検知センサ３９が配設されている。ロック板３５はモータ３６によって駆動される。モータ３６の駆動軸３６ａにはウォームギア３７が固着されており、モータ３６の駆動力はウォームギア３７を介してホイールギア３８に伝達される。ロック板３５にはラックギア３５ａが形成されており、ラックギア３５ａに噛み合わされたホイールギア３８が回転すると、ロック板３５が直動して認証コード読み取り装置１９の右側面より出入してストッパ２８を押圧する。ロック板３５によって押圧されたストッパ２８は軸２７を回動軸として係止片２０ａを拘束または拘束解除させるように回動する。このようにストッパ２８及びロック板３５は防犯カバー２０を固定させるロック手段として機能する。また、ロック板３５の位置は、ロック板位置検知センサ３９によって検知される。なお、ロック板位置検知センサ３９は、ロック板３５の位置を検知して、後述するＣＰＵ４０（図８に図示）に電気信号として入力できるものであれば良く、光センサなど、適宜のセンサを用いて良い。
【００２７】
図８に、認証コード読み取り装置１９の電気的構成を示す機能ブロック図を示す。認証コード読み取り装置１９は、認証コード読み取り部２６、モータ３６、ＣＰＵ４０、ＲＯＭ４１、ドライバ４２によって電気的に構成されている。ＣＰＵ４０はＲＯＭ４１に記憶されている制御プログラムに従って認証コード読み取り装置１９の作動を制御する。さらに、ＲＯＭ４１には正規の認証コードが記憶されており、ＣＰＵ４０は、認証コード読み取り部２６によって読み取られた、認証カード２５に記憶されている認証コードが正規のものであるか否かを、ＲＯＭ４１に記憶されている正規の認証コードと照合することによって判断する。ＣＰＵ４０は、認証カード２５に記憶されている認証コードが正規の認証コードであると判断した場合には、ドライバ４２を介してモータ３６を駆動させロック板３５を作動させる。このように、認証コード読み取り装置１９は防犯カバー２０を固定させることのできる着脱防止手段として機能する。なお、正規の認証コードでないと判断された場合には、モータ３６を駆動させることができず着脱不能状態が維持されると共に、警報装置と連動させるようにしてエラー状態として遊技停止状態とさせ、広く知らしめるようにさせると好適である。さらに、防犯カバー２０を無理にこじ開けようとした場合もエラー状態として認識させると好適である。
【００２８】
上記のように構成されたパチンコ機の作用について、図９のフローチャートに基づいて説明する。フローチャートは主制御装置１５を交換する際の作業手順を示している。パチンコ機２の電源が投入されると、認証コード読み取り装置１９は起動する。認証カード２５を認証コード読み取り装置１９のスリット１９ａに通過させると、認証コード読み取り部２６が認証カード２５に記憶されている認証コードを読み取りＣＰＵ４０に入力する。ＣＰＵ４０は、入力された認証コードと、ＲＯＭ４１に記憶されている正規の認証コードとを照合することによって、入力された認証コードが正規のものであるか否かを判断する。
【００２９】
入力された認証コードが正規のものであった場合には、ＣＰＵ４０は、ロック板位置検知センサ３９によってロック板３５の位置を確認し、ストッパ２８が開放状態であるか否かを判断する。ストッパ２８が閉鎖されているときには、モータ３６を駆動してロック板３５を認証コード読み取り装置１９内に収納するように移動させ、ストッパ２８を開放する。
【００３０】
ストッパ２８が開放されると、防犯カバー２０の開閉が蝶板３１による回動により行えるようになり、この状態のときに主制御装置１５の交換を行うことができる。
【００３１】
主制御装置１５を交換し、防犯カバー２０を閉じた後、再び認証カードをスリット１９ａに通過させると、認証コード読み取り部２６が認証カード２５に記憶されている認証コードを読み取りＣＰＵ４０に入力する。ＣＰＵ４０は、入力された認証コードと、ＲＯＭ４１に記憶されている正規の認証コードとを照合することによって、入力された認証コードが正規のものであるか否かを判断する。
【００３２】
入力された認証コードが正規のものであった場合には、ＣＰＵ４０は、ロック板位置検知センサ３９によってロック板３５の位置を確認し、ストッパ２８が開放状態であるか否かを判断する。ストッパ２８が開放されているときには、モータ３６を駆動してロック板３５を認証コード読み取り装置１９の側面から突出するように移動させ、ストッパ２８を閉鎖する。ストッパ２８が閉鎖されると防犯カバー２０の係止片２０ａが拘束され、防犯カバー２０は蝶番３１での回動が抑止され、開放することができなくなる。したがって主制御装置１５は着脱不能となる。
【００３３】
上記実施形態では、認証コード読み取り装置１９への認証コードの入力を、認証コード読み取り部２６に認証カード２５に記憶されている認証コードを読み取らせることによって行っていたが、これを、外部から接続した機器によって入力するとしても良い。例えば、図１０に示すように、複数のパチンコ機を同時に管理する管理制御機器５０と、複数のパチンコ機５１〜５５とを入出力インターフェース５６を介して接続し、管理制御装置５０よって各パチンコ機５１〜５５の認証コード読み取り装置１９のＣＰＵ４０に認証コードを入力するようにしても良い。また、認証コード読み取り装置に備えられたキーボードや指紋照合等のような入力手段にて認証コードを入力するようにしても良い。また、入力された認証コードが正規の認証コードであるか否かを判断する際に照合するための正規の認証コードのデータを、認証コード読み取り装置内のＲＯＭに記憶させず、主制御装置内のメインＲＯＭに記憶させるようにしても良い。この場合、認証コード読み取り装置は、主制御装置と通信を行うことによって正規の認証コードのデータを利用する。
【００３４】
また、上記実施形態では、ストッパ２８は防犯カバー２０の係止片２０ａを拘束することにより、防犯カバー２０の開放を行えないようにして主制御装置１５を着脱不能な状態としていたが、ストッパが主制御装置の一部を直接拘束することによって主制御装置を着脱不能な状態となるようにしても良い。また、上記実施形態では、ＣＰＵとＲＯＭとＲＡＭを備えた制御装置を交換する対象として説明したが、制御プログラムを記憶させたＲＯＭのみ、またはＲＯＭと記憶された情報を抽出可能とさせたＲＯＭ装置を交換する対象としても良い。
【００３５】
【発明の効果】
以上のように、本発明のパチンコ機によれば、認証コード読み取り装置によって防犯カバーの開放または着脱を行えないようにすると共に、特定の管理者等しか知り得ない特定データからなる正規の認証コードが認証コード読み取り装置に入力されたときにモータを駆動させることによってロック部材を外すように移動させてストッパ部にて係合固定されていた防犯カバーの拘束を解くようにしたので、少なくとも記憶媒体に記憶された制御プログラムの不当な改変を確実に防止できると共に、制御プログラムを簡便に繰り返し変更することを可能とすることができるようになる。
【図面の簡単な説明】
【図１】本発明を実施したパチンコ機の外観を示す斜視図である。
【図２】図１に示したパチンコ機の背面側からの外観を示す斜視図である。
【図３】図１に示したパチンコ機内部の電気的構成を示す機能ブロック図である。
【図４】認証コード読み取り装置及び防犯カバーの関係を示す平面図である。
【図５】認証コード読み取り装置及び防犯カバーの関係を示す正面図である。
【図６】認証コード読み取り装置及び防犯カバーの関係を示す外観斜視図である。
【図７】ロック板を駆動する機構の構成を示す関係図である。
【図８】認証コード読み取り装置内部の電気的構成を示す機能ブロック図である。
【図９】主制御装置を交換する手順を示すフローチャートである。
【図１０】管理制御装置によって認証コードを認証コード読取装置に入力する態様を示す機能ブロック図である。
【符号の説明】
２  パチンコ機
３  本体枠
４  遊技盤
１５  主制御装置
１９  認証コード読み取り装置
２０  防犯カバー
２５  認証カード
２８  ストッパ
３５  ロック板
３６  モータ
４０  ＣＰＵ
４１  ＲＯＭ
５０  管理制御装置
５１〜５５  パチンコ機
５６  入出力インターフェース
【図１】
0004212090.tif 000002
【図２】
0004212090.tif 000003
【図３】
0004212090.tif 000004
【図４】
0004212090.tif 000005
【図５】
0004212090.tif 000006
【図６】
0004212090.tif 000007
【図７】
0004212090.tif 000008
【図８】
0004212090.tif 000009
【図９】
0004212090.tif 000010
【図１０】
0004212090.tif 000011